(57)【要約】【課題】  配管ボックス内に水が侵入するのを確実、且つ容易に防止することができる止水性能に優れた配管ボックスへの管体接続構造を提供する。【解決手段】  配管ボックスの壁体１に形成された開口部３に挿入されて前記壁体１に固定される受け継手５と、継手本体１５の一側の内面に差し込まれる受け継手５及び継手本体１５の他側の内面に差し込まれる管体７の端部を保持するリテーナ部１７を有し、受け継手５に管体７を接続する管継手９とを備えた配管ボックスへの管体接続構造において、前記管継手９のリテーナ部１７における受け継手５及び管体７の端部と対向する内周面に、水分を吸収したとき膨張する膨張体１９が一体に形成される構成になっている。【選択図】        図１
2005057868.tif 000002
【特許請求の範囲】
【請求項１】
配管ボックスの壁体に形成された開口部に挿入されて前記壁体に固定される受け継手と、継手本体の一側の内面に差し込まれる受け継手及び継手本体の他側の内面に差し込まれる管体の端部を保持するリテーナ部を有し、受け継手に管体を接続する管継手とを備えた配管ボックスへの管体接続構造において、前記管継手のリテーナ部における受け継手及び管体の端部と対向する内周面に、水分を吸収したとき膨張する膨張体が一体に形成されることを特徴とする配管ボックスへの管体接続構造。
【請求項２】
前記配管ボックスの壁体に形成された開口部に、前記受け継手が、その後端が配管ボックスの壁体の外壁面から突出しないように挿入されて固定されると共に、前記壁体の開口部の管継手側の内周面に管継手の受け継手側を受け入れる拡径凹溝が形成され、受け継手に管継手を介して管体を接続したとき、前記管継手の受け継手側が前記開口部の拡径凹溝に挿着されることを特徴とする請求項１記載の配管ボックスへの管体接続構造。
【発明の詳細な説明】
【技術分野】
【０００１】
本発明は、地下等に布設される電力ケーブル、通信ケーブル、光ケーブル等の配線部材を保護するために用いられる波付プラスチック管等の管体を、ハンドホールやマンホール等の配管ボックスに接続するための配管ボックスへの管体接続構造に関するものである。
【背景技術】
【０００２】
従来、電力ケーブル、通信ケーブル等の配線部材を保護するために用いられる波付プラスチック管等の管体をハンドホールやマンホール等の配管ボックスに接続するための配管ボックスへの管体接続構造としては、配管ボックスの壁体に形成された開口部に挿入されて前記壁体に固定される受け継手と、継手本体の一側の内面に差し込まれる受け継手及び継手本体の他側の内面に差し込まれる管体の端部を保持するリテーナ部を有し、受け継手に管体を接続する管継手とを備えた配管ボックスへの管体接続構造において、前記管継手の一側のリテーナ部と受け継手との間に接着剤（止水部材）が設けられ、管継手の他側のリテーナ部における管体の端部と対向する内周面にゴム輪（止水部材）が設けれるものが提案されている（特許文献１参照）。
【０００３】
【特許文献１】特開平９−２８４９６６号公報（発明の詳細な説明の項の段落番号００１０乃至００１２及び図１乃至３）
【発明の開示】
【発明が解決しようとする課題】
【０００４】
上記構成の配管ボックスへの管体接続構造においては、管体にヒートサイクルによる管体の熱伸縮、地層（地盤）沈下、地震等により外力が加わると、管体が屈曲変形等して、前記管継手と受け継手及び管体の嵌合部分と前記止水部材との間に隙間ができたり、広がり易い。そうすると、これら嵌合部分に設けられている前記止水部材の止水性能が低下し、前記嵌合部分の隙間から受け継手を介して、配管ボックス内に雨水や地下水等の水が侵入する恐れがあり、改善が望まれていた。同士の接触圧力が低下したり、両者間に隙間ができ易い
【０００５】
本発明は上記に鑑み生まれたもので、配管ボックス内に水が侵入するのを確実、且つ容易に防止することができる止水性能に優れた配管ボックスへの管体接続構造を提供することを目的とするものである。
【課題を解決するための手段】
【０００６】
本発明の請求項１に記載された発明は、配管ボックスの壁体に形成された開口部に挿入されて前記壁体に固定される受け継手と、継手本体の一側の内面に差し込まれる受け継手及び継手本体の他側の内面に差し込まれる管体の端部を保持するリテーナ部を有し、受け継手に管体を接続する管継手とを備えた配管ボックスへの管体接続構造において、前記管継手のリテーナ部における受け継手及び管体の端部と対向する内周面に、水分を吸収したとき膨張する膨張体が一体に形成されることを特徴とするものである。
【０００７】
本発明の請求項２に記載された発明は、請求項１に記載された配管ボックスへの管体接続構造において、前記配管ボックスの壁体に形成された開口部に、前記受け継手が、その後端が配管ボックスの壁体の外壁面から突出しないように挿入されて固定されると共に、前記壁体の開口部の管継手側の内周面に管継手の受け継手側を受け入れる拡径凹溝が形成され、受け継手に管継手を介して管体を接続したとき、前記管継手の受け継手側が前記開口部の拡径凹溝に挿着されることを特徴とするものである。
【発明の効果】
【０００８】
本発明の請求項１に記載された配管ボックスへの管体接続構造によると、管体にヒートサイクルによる熱伸縮、地層（地盤）沈下、地震等により外力が加わり、管体が屈曲変形等して、前記管継手と受け継手及び管体の嵌合部分と膨張体との間に隙間ができたり、広がったりすることにより、この隙間から雨水や地下水等の水が侵入しても、管継手のリテーナ部に一体に形成された膨張体が水分を吸収して膨張し、この嵌合部分に止水に必要な接触圧力で密着するので、この嵌合部分の気密、液密性が得られる。従って、管継手の前記嵌合部分の隙間から受け継手を介して配管ボックス内に水が侵入するのを確実に防止することができる。
【０００９】
また、管継手を受け継手及び管体に嵌合させて装着するときには、通常、管継手の膨張体が水分を吸収してないので膨張せず、径方向に縮小しているため、管継手の装着が容易であり、管体接続構造の施工性を向上させることができる。
【００１０】
本発明の請求項２に記載された配管ボックスへの管体接続構造によると、受け継手の後端が壁体の外壁面から突出しないので、配管ボックスの地中等への布設や輸送中に受け継手が破損することがなく、また、配管ボックスが嵩張らずコンパクトになるため、配管ボックスを布設現場等に輸送したり、保管したりするスペースが小さくなり、管体接続構造の施工費用を低減させることができる。また、管継手の受け継手側が壁体の開口部の拡径凹溝に挿着されて壁体に保持されるので、管体に作用する外力に対する強度が大きくなり、管体接続構造の止水性能をより向上させることができる。
【発明を実施するための最良の形態】
【００１１】
次に、本発明を実施するための最良の形態を図面により説明する。図１は本発明の第１実施形態を示す半分切開側面図である。本実施形態の配管ボックスへの管体接続構造は、同図に示すように、配管ボックスの壁体１に形成された内側開口縁４がベルマウス状に外方へ開いた開口部３に、後端が前記壁体１の外壁面から外方へ突出するように挿入されて前記壁体１に固定される、例えば、ポリエチレン製の螺旋状波形を有する波付プラスチック管からなり、前端に成形加工により一体的に形成されたベルマウス６を有する受け継手５と、受け継手５に電力ケーブル、通信ケーブル等の配線部材を保護するために用いられる、例えば、ポリエチレン製の螺旋状波形を有する波付プラスチック管からなる管体７を接続するための管継手９とを備える。
【００１２】
受け継手５の前端に前記のようにベルマウス６が一体的に形成されていると、受け継手５の内径が狭くならないので、管体布設後、配線部材の通線前の試験棒を使った通線試験の際、試験棒が受け継手５の内面につかえて通過障害を起こす恐れがなく、通線試験に有利であるが、受け継手５の内部に受け継手５とは別物のベルマウス６を挿着するようにしてもよい。また、受け継手５は、配管ボックスの壁体１の開口部３付近における外壁面２にパッキング、パテ、水膨潤性止水材等のシール材１１を介してシール材ホルダ１３を取り付けて押えることにより、受け継手５の外周面と壁体１の開口部３の内周面との間の隙間から雨水や地下水等の水が配管ボックス内に侵入しないように止水処理される。なお、シール材１１及びシール材ホルダ１３を設ける代わりに、受け継手５の外周面と開口部３との間にモルタルやエポキシ樹脂系その他の常温硬化性パテ等の止水部材（図示せず）を介在させて受け継手５と壁体１の開口部３間を止水処理するようにしてもよい。
【００１３】
管継手９は、図２に示すように、例えば、ポリエチレン製の螺旋状波形を有する波付プラスチック管からなる継手本体１５の一側の内面にねじ込んで差し込まれる受け継手５及び継手本体１５の他側の内面にねじ込んで差し込まれる管体７の端部を保持するリテーナ部１７を有し、各リテーナ部１７における受け継手５及び管体７の端部と対向する螺旋状波形を有する内周面に、水分を吸収したとき膨張する膨張体１９が一体に形成される。
【００１４】
膨張体１９は、例えば、不織布と高吸水性樹脂と熱可塑性樹脂との混合物で構成される。該膨張体１９の成形時には高温になるので、前記不織布は耐熱性に優れたもの、例えば、ポリエチレンテレフタレート（ＰＥＴ）等の繊維が用いられる。また、高吸水性樹脂は、例えば、繊維状のものや、粉末状のもの、シート状のもの等、適宜形態のものが用いられる。高吸水性樹脂は膨張体１９を膨張させる役目を有するので、繊維状のものを使用して不織布に混合させるのがより好ましいが、粉末状のものを不織布繊維の間に混入するようにしてもよい。シート状の高吸水性樹脂を用いる場合には、不織布で挟んでサンドイッチ構造にするとよい。熱可塑性樹脂は、前記成形時に溶ける性質の材料で形成し、例えば、繊維として適宜割合混入しておく。不織布と高吸水性樹脂と熱可塑性樹脂との混合割合は、例えば、不織布と高吸水性樹脂とをおよそ４：６から２：８程度に設定し、熱可塑性樹脂はわずかな量でよい。
【００１５】
なお、管継手９の継手本体１５の形状は前記波付管に限定されるものではないが、管体７の形状に合わせて波付管で構成されていると、受け継手５及び管体７との差込み接続が容易になるので望ましい。受け継手５の形状も同様に前記波付管で構成されるのが望ましいがこの形状に限定されない。受け継手５の形状が平滑管で構成される場合には、管継手９の一側（受け継手側）のリテーナ部１７の内周面が平滑面で構成されるのが望ましい。
【００１６】
第１実施形態の管体接続構造は以上のような構成になっている。この管体接続構造を組み立てる場合には、種々の方法があるが、例えば、予め工場において、配管ボックスの壁体１に形成された開口部３に受け継手５を挿入して止水状態で固定しておく。次に、この配管ボックスを布設現場に輸送し、布設現場に形成された配管ボックス地下埋設用ピットに配設する。その後、受け継手５と管体７の端部相互を管継手９のリテーナ部１７内に差し込んで保持することにより、受け継手５に管体７を接続し、管体接続構造の組み立てを終了する。
【００１７】
本実施形態の管体接続構造によると、管体７にヒートサイクルによる熱伸縮、地層（地盤）沈下、地震等により外力が加わり、管体７が屈曲変形等して、前記管継手９と受け継手５及び管体７の嵌合部分と膨張体１９との間に隙間ができたり、広がったりすることにより、この隙間から雨水や地下水等の水が侵入しても、管継手９のリテーナ部１７に一体に形成された膨張体１９が水分を吸収して膨張し、この嵌合部分に止水に必要な接触圧力で密着するので、この嵌合部分の気密、液密性が得られる。従って、管継手９の前記嵌合部分の隙間から受け継手５を介して配管ボックス内に水が侵入するのを確実に防止することができる。
【００１８】
また、管継手９を受け継手５及び管体７に嵌合させて装着するときには、通常、管継手９の膨張体１９が水分を吸収してないので膨張せず、径方向に縮小しているため、管継手９の装着が容易であり、管体接続構造の施工性を向上させることができる。
【００１９】
図３は本発明の第２実施形態を示す半分切開側面図である。本実施形態の配管ボックスへの管体接続構造は、同図に示すように、前記配管ボックスの壁体１に形成された開口部３に、前記受け継手５が、その後端が配管ボックスの壁体１の外壁面２から突出しないように挿入されて固定されると共に、前記壁体１の開口部３の管継手９側の内周面に管継手９の受け継手５側を受け入れる筒状の拡径凹溝２１が形成され、受け継手５に管継手９を介して管体７を接続したとき、前記管継手９の受け継手５側が前記開口部３の拡径凹溝２１に挿着される構成のものである。
【００２０】
なお、図３に示すものでは、受け継手５は、その後端が前記壁体１の外壁面２から開口部３の内側（配管ボックス内側）へ所定長さ引込んだ部位に位置するように挿入されているが、その後端が壁体１の外壁面２にほぼ一致する部位に位置するように挿入されていてもよい。即ち、受け継手５の後端が壁体１の外壁面２から突出しないように挿入されて固定されていればよい。
【００２１】
本実施形態における受け継手５は、例えば、これと開口部３との間にモルタルやエポキシ樹脂系その他の常温硬化性パテ等の止水部材（図示せず）を介在させて止水処理され、受け継手５の外周面と壁体１の開口部３の内周面との間の隙間から雨水や地下水等の水が配管ボックス内に侵入しないようになっている。なお、受け継手５の外周面と開口部３との間に常温硬化性パテ等の止水部材（図示せず）を介在させて受け継手５と壁体１の開口部３間を止水処理する代わりに、図示省略するが、配管ボックスの壁体１の開口部３付近における外壁面２に前記シール材１１を介してシール材ホルダ１３を取り付けて押えることにより、受け継手５の外周面と壁体１の開口部３の内周面との間の隙間から雨水や地下水等の水が配管ボックス内に侵入しないように止水処理するようにしてもよい。その他の構成は実質的に第１実施形態のものと同一なので説明を省略する。
【００２２】
第２実施形態の管体接続構造によると、受け継手５の後端が壁体１の外壁面２から突出しないので、配管ボックスの地中等への布設や輸送中に受け継手５が破損することがなく、また、配管ボックスが嵩張らずコンパクトになるため、配管ボックスを布設現場等に輸送したり、保管したりするスペースが小さくなり、管体接続構造の施工費用を低減させることができる。また、管継手９の受け継手５側が壁体１の開口部３の拡径凹溝２１に挿着されて壁体１に保持されるので、管体７に作用する外力に対する強度が大きくなり、管体接続構造の止水性能をより向上させることができる。
【図面の簡単な説明】
【００２３】
【図１】本発明の第１実施形態を示す半分切開側面図である。
【図２】図１の管体接続構造の主要構成である管継手を示す拡大斜視図である。
【図３】本発明の第２実施形態を示す半分切開側面図である。
【符号の説明】
【００２４】
１      配管ボックスの壁体
２      外壁面
３      開口部
４      内側開口縁
５      受け継手
６      ベルマウス
７      管体
９      管継手
１１    シール材
１３    シール材ホルダ
１５    継手本体
１７    リテーナ部
１９    膨張体
２１    拡径凹溝
【図１】
2005057868.tif 000003
【図２】
2005057868.tif 000004
【図３】
2005057868.tif 000005